(57)【要約】【課題】  原稿の位置ずれを生じさせることなく確実に保持してその画像取得を行うことが可能な画像形成装置を提供する。【解決手段】  装置本体２に設置された板状の原稿台ガラス５と、前記装置本体２に回動自在に支持された原稿押え板とを備え、原稿台ガラス５と原稿押え板とで原稿Ｗを挟持しつつ原稿Ｗの画像を形成する画像形成装置Ａにおいて、原稿台ガラス５を、原稿押え板が回動する軸線Ｏ２中心に回動自在に設ける。そして、原稿台ガラス５と原稿押え板とで原稿Ｗを挟持した段階で、原稿台ガラス５の裏面５ｂ側から原稿台ガラス５を介して、挟持した原稿Ｗを目視しその位置ずれの発生の有無を確認する。【選択図】  図１１
2006350070.tif 000002
【特許請求の範囲】
【請求項１】
装置本体に設置された板状の透明原稿台と、前記装置本体に回動自在に支持された原稿押え板とを備え、前記透明原稿台と前記原稿押え板とで原稿を挟持しつつ該原稿の画像を形成する画像形成装置において、
前記透明原稿台が、前記原稿押え板が回動する軸線中心に回動自在に設けられていることを特徴とする画像形成装置。
【請求項２】
請求項１記載の画像形成装置において、
前記装置本体に前記画像形成装置を操作する装置操作部が設けられ、前記透明原稿台と前記原稿押え板とが、該装置操作部に対して左右方向のいずれかに回動するように構成されていることを特徴とする画像形成装置。
【請求項３】
請求項１または請求項２に記載の画像形成装置において、
前記透明原稿台と前記原稿押え板とが、前記原稿の画像形成を行う際の画像形成姿勢を基準として、それぞれ前記軸線中心に略１８０°の範囲で回動するように構成されていることを特徴とする画像形成装置。
【請求項４】
請求項１から請求項３のいずれかに記載の画像形成装置において、
前記原稿押え板の前記透明原稿台側の一面と前記透明原稿台とを面接触させつつ保持する保持機構が設けられていることを特徴とする画像形成装置。
【発明の詳細な説明】
【技術分野】
【０００１】
本発明は、複写機やファクシミリ装置等の画像形成装置に関する。
【背景技術】
【０００２】
従来、複写機やファクシミリ装置などの画像形成装置では、装置本体の上面に設置された原稿台ガラス（透明原稿台）上に、原稿を載置して、装置本体に具備されたスキャナーユニットにより例えばライン照明を原稿に向けて照射し反射光を受光しこれを撮像して、原稿の画像情報が取得される。また、このとき、装置本体に起伏回動自在に装備され、原稿台ガラスよりも大きな平面を備える略矩形板状の原稿押え板で、原稿台ガラスに載置された原稿を原稿台ガラスとともに挟持しつつ保持して、その画像情報の取得が行われている。
【０００３】
しかしながら、原稿台ガラスの所定の位置に載置した原稿を挟持するように原稿押え板を閉じる際、風圧などが作用して原稿がずれ、原稿がこの状態で挟持されてしまうという問題があった。この場合には、原稿が原稿押え板で被覆され、操作者は位置ずれの発生を認識できずに画像取得を行うこととなり、例えば原稿の画像を写し出すシートなどの記録体を無駄にするという問題があった。また、原稿の位置ずれを生じさせないために、原稿押え板をゆっくりと閉じ原稿に風圧を作用させないようにするという煩わしさをも生じさせていた。
【０００４】
これに対し、装置本体に起伏回動自在に装備される原稿押え板をその回動中心線に平行な切断面をもって複数に分割し、分割された隣り合う原稿押え板同士を、ヒンジ部材を介して折曲自在に連結したものがある（例えば、特許文献１参照）。この種の画像形成装置では、原稿押え板が複数に分割され折曲自在とされていることにより、原稿台ガラスに載置した原稿を挟持する際の挟持動作を段階的に行なうことが可能とされている。すなわち、分割された１つの原稿押え板で所定の位置に載置された原稿の一部を挟持し、他の分割された原稿押え板で、既に一部が挟持されその位置が保持された原稿を挟持することが可能とされる。これにより、この画像形成装置においては、原稿の一部を挟持させる際に作用する小風圧に若干の注意をはらうのみで位置ずれを生じさせることなく原稿を挟持することが可能とされている。
【特許文献１】特開平８−１２９２３８号公報
【発明の開示】
【発明が解決しようとする課題】
【０００５】
しかしながら、上記の分割した原稿押え板を備えた画像形成装置においては、比較的サイズが大きい１枚の原稿を挟持する際には有効であるが、例えば免許証や名刺などの比較的小さいサイズの原稿を挟持する際には、やはり風圧などで位置ずれが生じるという問題があった。特に、このような小さなサイズの原稿の画像を取得しようとする場合には、原稿を原稿台ガラス上に載置した後にその上から大きなシートを重ねて画像取得を行うことが多々あり、この場合には、原稿がシートで被覆されその位置を目視で認識できなくなるため、原稿押え板で原稿の少なくとも一部を確実に挟持させることが困難となり、やはり位置ずれが生じてしまう場合があるという問題があった。
【０００６】
また、例えば複数枚の原稿を原稿台ガラスに載置して１枚の画像を取得しようとする場合では、分割した原稿押え板で個々の原稿をそれぞれ挟持することは困難で、位置ずれが生じやすいという問題があった。
【０００７】
本発明は、上記事情を鑑み、原稿の位置ずれを生じさせることなく確実に保持してその画像取得を行うことが可能な画像形成装置を提供することを目的とする。
【課題を解決するための手段】
【０００８】
上記の目的を達するために、この発明は以下の手段を提供している。
【０００９】
本発明の画像形成装置は、装置本体に設置された板状の透明原稿台と、前記装置本体に回動自在に支持された原稿押え板とを備え、前記透明原稿台と前記原稿押え板とで原稿を挟持しつつ該原稿の画像を形成する画像形成装置において、前記透明原稿台が、前記原稿押え板が回動する軸線中心に回動自在に設けられていることを特徴とする。
【００１０】
また、本発明の画像形成装置においては、前記装置本体に前記画像形成装置を操作する装置操作部が設けられ、前記透明原稿台と前記原稿押え板とが、該装置操作部に対して左右方向のいずれかに回動するように構成されていることが望ましい。
【００１１】
さらに、本発明の画像形成装置においては、前記透明原稿台と前記原稿押え板とが、前記原稿の画像形成を行う際の画像形成姿勢を基準として、それぞれ前記軸線中心に略１８０°の範囲で回動するように構成されていることがより望ましい。
【００１２】
また、本発明の画像形成装置においては、前記原稿押え板の前記透明原稿台側の一面と前記透明原稿台とを面接触させつつ保持する保持機構が設けられていることが望ましい。
【発明の効果】
【００１３】
本発明の画像形成装置によれば、透明原稿台が、原稿押え板が回動する軸線中心に回動自在に設けられていることによって、透明原稿台の所定の位置に載置した原稿を、原稿押え板とともに挟持した段階で、透明原稿台と原稿押え板とを同一軸線中心で回動することにより、挟持した原稿の状態を透明原稿台の裏面側から目視確認することが可能となる。これにより、原稿押え板を閉じる際の例えば風圧などによって原稿に位置ずれが発生しているか否かを画像取得前に確認することが可能となる。よって、挟持した原稿に位置ずれが生じている場合には、再度原稿を設置し直すことができ、原稿を所定の位置に確実に設置した状態で画像取得を行え、例えば画像を写し出すシートなどの無駄を減らすことが可能となる。
【００１４】
また、本発明の画像形成装置においては、装置本体に設けられた装置操作部に対して、透明原稿台と原稿押え板とが左右方向のいずれかに回動するものとされていることにより、一般に、装置操作部に正対してこの操作を行なう操作者に対し、透明原稿台と原稿押え板の回動操作を容易に行なえるものとすることができる。これにより、透明原稿台と原稿押え板とで挟持した原稿が位置ずれを生じているか否かの確認を好適に行なうことが可能となる。
【００１５】
さらに、本発明の画像形成装置においては、透明原稿台と原稿押え板とが、原稿の画像を形成する際の画像形成姿勢を基準として、軸線中心に略１８０°の範囲で回動する構成とされていることにより、例えば画像形成姿勢が水平である場合に、原稿押え板を略１８０°回動させて原稿押え板の透明原稿台側の一面を略水平に向けることができる。この場合には、この一面に原稿を載置し、透明原稿台を同じく画像形成姿勢を基準に略１８０°回動して原稿を挟持させることができる。これにより、透明原稿台の反転し上方を向く裏面側から目視で確認しつつ原稿を挟持できるため、確実に所定の位置で原稿を挟持することが可能となる。また、原稿を挟持した状態を維持しつつ透明原稿台と原稿押え板とを画像形成姿勢に復帰させることで、所定の位置に配置された原稿の画像取得を行うことが可能となる。
【００１６】
また、本発明の画像形成装置においては、原稿押え板の一面と透明原稿台とを面接触させつつ保持する保持機構が設けられていることにより、透明原稿台と原稿押え板とで強固に原稿を挟持することができるとともに、透明原稿台と原稿押え板とを回動した場合においてもこの強固な挟持状態が維持されるため、回動に伴って原稿の位置ずれが発生することを確実に防止できる。
【発明を実施するための最良の形態】
【００１７】
以下、図１から図１１を参照し、本発明の一実施形態に係る画像形成装置について説明する。
【００１８】
本実施形態は、本発明を画像形成装置の複写機に適用したものであり、特に原稿を載置する透明原稿台（原稿台ガラス）を備えた原稿台が原稿押え板の回動軸線（軸線）中心に回動可能とされた複写機に関するものである。
【００１９】
本実施形態の複写機（画像形成装置）Ａは、図１から図５に示すように、筐体１ａ内部に線光源１ｂとラインセンサ１ｃを有するスキャナーユニット１を具備する装置本体２と、この装置本体２の上面２ａ側に設けられた略矩形板状の原稿台３と、原稿台３の上面３ａ側に設けられた略矩形板状の原稿押え板４とが主な構成要素とされている。
【００２０】
原稿台３は、図２及び図４に示すように、矩形板状に形成され、その中央に上面３ａから下面（裏面）３ｂに貫通する矩形状の開口部３ｃが形成されており、この開口部３ｃは、対向する一対の側端が原稿台３の対向する一対の側端にそれぞれ平行するように設けられている。また、開口部３ｃには、開口部３ｃと略同一の平面形状を呈する矩形板状の原稿台ガラス５が嵌め込まれて固定されている。この原稿台ガラス５は、透明ガラスとされ、その上面５ａが原稿台３の上面３ａと略同一平面を形成するように開口部３ｃに固定されている。また、原稿台３には、図６に示すように、後述するヒンジ部６で固定された一側端３ｄと対向する他側端３ｅ側の上面３ａに、平面視矩形状の凹部７ａが設けられており、この凹部７ａが後述する保持機構７の構成要素とされている。また、この凹部７ａは、原稿台３の上面３ａに開口する部分よりも原稿台３の厚さ方向の内部が大きな開口面積で形成され、原稿台３の上面３ａ部分が凹部７ａの内方に若干延出した状態で形成されている。なお、本実施形態では、透明原稿台（原稿台ガラス）５が透明ガラスであるものとしたが、透明原稿台５は、透明であればガラスに限定する必要のないものである。
【００２１】
原稿押え板４は、図１から図４に示すように、原稿台３と同様、スキャナーユニット１の上面（装置本体２の上面２ａ）と略同寸法の平面視矩形状に形成されており、原稿台３側の裏面（下面）４ａには、その中央に、前述の原稿台ガラス５と略同寸法で平面視矩形状に形成された弾性部材８が固着されている。この弾性部材８は、例えば原稿押え板４の裏面４ａに固着されたウレタン材と、このウレタン材の表面に、表面を覆うように固着された例えばポリ四フッ化エチレン製のシートとから構成されている。
【００２２】
また、原稿押え板４には、後述するヒンジ部６で固定された一側端４ｂと対向する他側端４ｃ側に、原稿台３の上面３ａと原稿押え板４の下面４ａとを面接触させた状態で、原稿台３と原稿押え板４とを一体に保持可能な保持機構７が設けられている。この保持機構７は、図６から図７に示すように、原稿台３の凹部７ａと、原稿押え板４の上面４ｄから下面４ａまで貫通する貫通孔７ｃと、原稿台３と原稿押え板４とを一体に保持する保持部材７ｂと、保持部材７ｂを原稿押え板４の上面４ｄに沿って進退可能に押圧するバネ部材７ｄとから構成されている。貫通孔７ｃは、原稿台３の上面３ａと原稿押え板４の下面４ａとを面接触させた状態で、凹部７ａと連通するように設けられている。また、この貫通孔７ｃには、原稿押え板４の厚さ方向に直交して延びバネ部材７ｄの一部が設置されるバネ設置孔７ｅが連通されている。保持部材７ｂは、板状の操作部７ｆと、操作部７ｆに接続され操作部７ｆの下面に直交する方向に延出する係合部７ｇとからなり、係合部７ｇは、その下端が延出方向の直交方向に突設されている。また、保持部材７ｂは、係合部７ｇが貫通孔７ｃに挿通されて設置されているとともに係合部７ｇにバネ部材７ｄの一端が取り付けられている。
【００２３】
このように構成された保持機構７は、原稿台３の上面３ａと原稿押え板４の下面４ａとを面接触させた状態で、係合部７ｇの下端が原稿台３の凹部７ａの内部に配置され、突設したこの下端が凹部７ａの内面と係合されて、原稿台３と原稿押え板４とを一体に保持することが可能とされている。また、保持部材７ｂの操作部７ｆをバネ部材７ｄの軸線方向に後退させることで、係合部７ｇの下端と凹部７ａの内面との係合状態を解除することができ、これにより、一体とされた原稿台３と原稿押え板４とを分離することが可能とされている。
【００２４】
スキャナーユニット１は、図２から図３及び図５に示すように、上面が開口された略矩形箱状の筐体１ａ内部に線光源１ｂとラインセンサ１ｃを備えて構成されており、この上面が装置本体２の上面２ａを形成するように設けられている。線光源１ｂは、筐体１ａの対向する一対の側面１ｄ、１ｅに軸線Ｏ１を直交させつつ配置されているとともに、この軸線Ｏ１方向を維持しつつ前記一対の側面１ｄ、１ｅに沿って進退自在に設けられている。また、スキャナーユニット１の線光源１ｂの軸線Ｏ１に直交する一側面（装置本体２の正面）１ｄ側のスキャナーユニット１の外方には、一側面１ｄに直交する方向に突設され、スキャナーユニット１の上面を基準として突設方向に向け下方に傾斜する一面を備えた装置操作部９が設けられている。この装置操作部９は、傾斜する一面に、例えば複写機Ａの設定条件を変更可能に表示する表示部や、画像取得開始ボタンなどが設けられている。ここで、本実施形態では、スキャナーユニット１の上面が開口されているものとしたが、例えば、ガラスなどの透明部材が開口部分を閉塞するように設けられていてもよいものである。
【００２５】
一方、装置操作部９の一面の対向視で右側に位置し、線光源１ｂの軸線Ｏ１に沿うスキャナーユニット１の他側面１ｆの上端側には、図１から図３に示すように、原稿台３と原稿押え板４とを回動自在に支持するヒンジ部６が設けられている。このヒンジ部６は、線光源１ｂの軸線Ｏ１と平行する回動軸線（軸線）Ｏ２を有しているとともに、それぞれ略矩形板状に形成された原稿台３と原稿押え板４のそれぞれの一側端３ｄ、４ｂが接続されている。このようにヒンジ部６に支持された原稿台３と原稿押え板４とは、ヒンジ部６の同一回動軸線Ｏ２中心にそれぞれが個別に回動可能に接続され、且つ原稿台３の原稿台ガラス５と原稿押え板４の弾性部材８とが面接触可能に支持されている。ここで、ヒンジ部６により原稿台３と原稿押え板４とを回動して、原稿台３の裏面３ｂをスキャナーユニット１の筐体１ａの上端１ｇと接触させた状態と、原稿押え板４の弾性部材８をスキャナーユニット１に支持された原稿台３の原稿台ガラス５に面接触させた状態とが、原稿台３と原稿押え板４のそれぞれの画像形成姿勢とされている。そして、ヒンジ部６は、原稿台３と原稿押え板４のそれぞれの画像形成姿勢を基準として、ヒンジ部６の回動軸線Ｏ２中心に、それぞれを略１８０°の範囲で装置操作部９の右方向に回動させるものとされている。
【００２６】
ここで、本実施形態の複写機Ａは、画像形成姿勢の原稿台３の原稿台ガラス５と原稿押え板４との間に原稿を介在させて、スキャナーユニット１の線光源１ｂを、原稿に向けてライン照明を出射させつつ走査させることにより、原稿からの反射光をラインセンサで受光しこれを結像して原稿の画像取得を行なうことが可能とされている。
【００２７】
ちなみに、装置本体２のスキャナーユニット１以外の部分には、図示せぬ、例えば取得した原稿の画像を写し出す紙などを搬送する記録体搬送ユニットや、感光体ドラムにスキャナーユニット１から送られた画像信号に応じて静電潜像を形成しつつ現像器でトナーを供給して顕像化し、このトナー像を記録体搬送ユニットから送られた記録体に転写する現像系ユニットや、記録体に転写したトナー像を加熱するとともに加圧して記録体に熱溶融定着させる定着系ユニットや、これらのユニットを駆動制御する駆動系ユニットや、電装部品などが設けられている。
【００２８】
ついで、上記の構成からなる複写機Ａを用いて原稿Ｗの画像を取得する方法について説明する。
【００２９】
はじめに、原稿台３と原稿押え板４とは、図８に示すように、それぞれが画像形成姿勢で待機されているものとする。この状態から、装置操作部９に例えば正対した操作者は、図９に示すように、原稿押え板４を、ヒンジ部６の回動軸線Ｏ２回りに略１８０°回動させて、装置操作部９に対して右方向に配しつつ、弾性部材８のシート表面が略水平で上方を向くように配置させる。ついで、図１０に示すように、弾性部材８のシート表面の所定の位置に、画像取得を要する面Ｗ１を上方に向けて原稿Ｗを配置する。ここで、本実施形態では、４枚の原稿Ｗを所定の位置に配置し１枚の画像を取得するものとしている。
【００３０】
原稿押え板４の所定の位置に原稿Ｗを載置した段階で、図１０から図１１に示すように、原稿台３（原稿台ガラス５）をヒンジ部６の回動軸線Ｏ２回りに回動させて、原稿Ｗが載置された原稿押え板４の弾性部材８のシートと、原稿台３の原稿台ガラス５の反転した上面５ａとを面接触させる。この状態で、原稿押え板４の弾性部材８上に載置した原稿Ｗが、弾性部材８と原稿台ガラス５とで挟み込まれる。本実施形態において、操作者は、原稿台ガラス５が透明ガラスとされていることにより、反転し上方を向く原稿台ガラス５の裏面５ｂ側から、原稿台ガラス５を介しつつ、この挟持動作によって原稿Ｗに位置ずれが生じていないか否かを目視確認する。原稿Ｗに位置ずれが生じている場合には、原稿台３を再度画像形成姿勢側に反転して原稿台ガラス５と弾性部材８との面接触状態を解除しつつ位置ずれを生じた原稿Ｗを設置し直し、再度原稿台ガラス５を弾性部材８に接触させて所定の位置で原稿Ｗが挟み込まれるように調整を行なう。
【００３１】
原稿台ガラス５の裏面５ｂ側から、挟み込まれた原稿Ｗに位置ずれが生じていないことを確認した段階で、図６から図７に示したように、原稿押え板４の他側端４ｃ側に設けられた保持機構７を操作し、原稿台３と原稿押え板４とを一体に固定する。このように、原稿押え板４と原稿台３とが一体に保持された段階で、弾性部材８と原稿台ガラス５との間に介在された原稿Ｗに、弾性部材８と原稿台ガラス５から適度な押圧力が作用するため、原稿Ｗは所定の位置で確実に保持されることとなる。
【００３２】
ついで、原稿Ｗを挟持し保持機構７で一体とされた原稿台３と原稿押え板４とをヒンジ部６の回動軸線Ｏ２回りに回動し、それぞれを図８に示した画像形成姿勢に復帰させる。このとき、保持機構７で原稿台３と原稿押え板４が強固に一体とされているため、これらに挟持された原稿Ｗは、この回動動作により位置ずれを生じることがないものとされている。そして、画像形成姿勢に復帰した状態で、原稿Ｗは、画像取得を行える位置に配置されている。ついで、操作者が装置操作部９の例えば画像取得開始ボタンを操作することによって、スキャナーユニット１の線光源１ｂが、原稿台ガラス５を介しつつライン照明を原稿Ｗに向けて照射し、スキャン動作が開始されて、原稿Ｗの画像情報が取得される。取得された画像情報は、図示せぬ装置本体２に設けられた記録体搬送ユニットや現像系ユニット、定着系ユニットなどにより、記録体に写し出され、原稿の画像を好適な位置に写し出した記録体が取得される。
【００３３】
したがって、上記の複写機（画像形成装置）Ａにおいては、原稿押え板４と、原稿台３の原稿台ガラス５とを、画像形成姿勢を基準としてヒンジ部６の回動軸線Ｏ２中心の左右方向に略１８０°で回動させることができ、この回動によって略水平とされつつ上方を向く原稿押え板４の弾性部材８に原稿Ｗを載置することができる。また、載置した原稿Ｗを、弾性部材８と原稿台ガラス５とを面接触させつつ挟持することができる。これにより、透明ガラスとされ、反転して上方を向く原稿台ガラス５の裏面５ｂ側から原稿Ｗに位置ずれが生じていないか否かを目視確認することが可能となる。また、原稿Ｗの位置ずれが生じている場合には、原稿Ｗの画像取得を行う前に、再度この操作をやり直すことができるため、確実に原稿Ｗを所定の位置に配置した状態で原稿台３の原稿台ガラス５と原稿押え板４とで挟持することが可能となる。
【００３４】
また、原稿台３（原稿台ガラス５）と原稿押え板４とが、装置操作部９に対して右方向に回動するように構成されていることによって、装置操作部９に正対してこの操作を行なう操作者に対し、原稿台ガラス５と原稿押え板４の回動操作を容易に行なえるものとし、原稿台ガラス５と原稿押え板４とを、原稿Ｗの載置や、挟持された原稿Ｗの目視確認がしやすい位置に配置することができる。
【００３５】
さらに、原稿押え板４の弾性部材８と原稿台３の原稿台ガラス５とを面接触した状態で互いを一体に固定する保持機構７が設けられていることにより、所定の位置に配置した原稿Ｗを確実に挟持してこれを保持することが可能となる。これにより、原稿Ｗを挟持した原稿押え板４と原稿台３とを画像形成姿勢に復帰させる回動動作を行った場合においても、原稿Ｗに位置ずれが生じることを防止できる。よって、画像形成姿勢に復帰した状態で、原稿Ｗを確実に所定の位置に配置することができるため、この原稿Ｗの画像を取得し写し出すシートなどの記録体の無駄を減らすことが可能となる。
【００３６】
また、上記の複写機Ａにおいては、複数の原稿Ｗを並べて一つの画像を取得する場合に、全ての原稿Ｗが所定の位置に配置されているか否かを原稿台ガラス５の裏面５ｂ側から目視確認できるため、確実に所定の位置に設置された原稿Ｗの画像取得を行うことが可能である。さらに、上記と同様、原稿Ｗが、例えば免許証や名刺などのようにサイズの小さいものである場合においても、原稿台ガラス５を介してその位置ずれの有無を目視確認できるため、所定の位置に確実に設置して画像取得を行なうことが可能である。これに加えて、小さなサイズの原稿Ｗに例えばシートを重ねた場合においても、原稿台ガラス５の裏面５ｂ側から原稿Ｗを目視することができるため、シートで被覆された原稿Ｗに対してもその位置ずれを確実に確認することが可能となる。
【００３７】
なお、本発明は、上記の一実施形態に限定されるものではなく、その趣旨を逸脱しない範囲で適宜変更可能である。例えば、本実施形態では、画像形成装置Ａが複写機であるものとして説明を行なったが、例えばファクシミリ装置や複合機であってもよく、本発明は、原稿台ガラス（透明原稿台）５と原稿押え板４とを備え原稿Ｗの画像取得を行うものであれば適用可能である。また、本実施形態の原稿台３と原稿押え板４のそれぞれの一側端３ｄ、４ｂが、装置操作部９の一面の対向視で右側に位置するヒンジ部６に接続されて、原稿台３（原稿台ガラス５）と原稿押え板４とがこのヒンジ部６の軸線Ｏ２回りに右開きで回動するものとしたが、原稿台３と原稿押え板４とを回動させる機構は、ヒンジ機構に限定されるものではなく、また、装置操作部９の一面の対向視で左側に設け、装置操作部９の左方向に回動する左開きとされてもよいものである。さらに、原稿台３と原稿押え板４とが回動する回動軸線Ｏ２は、線光源１ｂの軸線Ｏ１に沿っていなくてもよいものである。
【００３８】
さらに、本実施形態では、原稿押え板４と原稿台３とが画像形成姿勢を基準にして略１８０°回動するものとし、略１８０°回動して上方を向く弾性部材８のシート上に原稿Ｗを載置して、原稿台３の原稿台ガラス５で原稿Ｗを挟み込むものとしたが、所定の位置に配置した原稿Ｗを原稿押え板４と原稿台３とで挟持する方法は、これに限定する必要のないものである。つまり、例えば、画像形成姿勢の原稿押え板４を略１８０°の範囲内で回動させ、これに伴い露出した原稿台ガラス５の上面５ａに、従来の複写機などの画像形成装置と同様に原稿Ｗを載置して、原稿押え板４を画像形成姿勢に復帰させつつ原稿Ｗを挟持させる。そして、原稿Ｗを挟持した状態を維持しつつ原稿押え板４と原稿台３とを回動し、例えば装置本体２と回動した原稿台３の間から原稿台ガラス５の裏面５ｂを臨み、原稿Ｗの位置ずれの有無を確認してもよいものである。よって、原稿台３と原稿押え板４は、それぞれ必ずしも画像形成姿勢を基準にして略１８０°回動する必要のないものである。さらに、本実施形態の原稿押え板４にはウレタン材とポリ四フッ化エチレン製のシートとからなる弾性部材８が設けられているものとしたが、必ずしも弾性部材８が具備される必要はないとともに、他の材料で構成された弾性部材８であってもよいものである。
【００３９】
また、本実施形態では、原稿押え板４に保持機構７が設けられているものとしたが、必ずしも保持機構７は具備される必要のないものであり、例えば操作者が原稿Ｗを挟持した原稿押え板４と原稿台３とを手で押えて挟持状態を維持しつつ回動させてもよいものである。さらに、保持機構７を具備する場合においても、原稿押え板４と原稿台３の原稿台ガラス５とを、原稿Ｗを挟持させつつ保持可能であれば、保持機構７は、その設置位置や構成が限定される必要のないものである。
【図面の簡単な説明】
【００４０】
【図１】本発明の一実施形態に係る画像形成装置を示す斜視図である。
【図２】本発明の一実施形態に係る画像形成装置を示す斜視図である。
【図３】本発明の一実施形態に係る画像形成装置を示す斜視図である。
【図４】本発明の一実施形態に係る画像形成装置の原稿押え板を、画像形成姿勢を基準として略１８０°回動させた状態を示す図である。
【図５】本発明の一実施形態に係る画像形成装置の原稿押え板と原稿台とを、画像形成姿勢を基準として略１８０°回動させた状態を示す図である。
【図６】本発明の一実施形態に係る画像形成装置に具備される保持機構の一例を示した図である。
【図７】本発明の一実施形態に係る画像形成装置に具備される保持機構の一例を示した図である。
【図８】本発明の一実施形態に係る画像形成装置の画像形成姿勢を示した図である。
【図９】本発明の一実施形態に係る画像形成装置の原稿押え板を、画像形成姿勢を基準として略１８０°回動させた状態を示す図である。
【図１０】図９の画像形成装置の原稿押え板に、原稿を設置した状態を示す図である。
【図１１】図１０の原稿押え板に設置された原稿を、原稿台ガラスで挟持した状態を示す図である。
【符号の説明】
【００４１】
１・・・スキャナーユニット、２・・・装置本体、２ａ・・・上面（表面）、３・・・原稿台、４・・・原稿押え板、４ａ・・・裏面（下面）、５・・・原稿台ガラス、５ａ・・・上面、５ｂ・・・裏面、６・・・ヒンジ部、７・・・保持機構、８・・・弾性部材、９・・・装置操作部、Ａ・・・画像形成装置（複写機）、Ｏ１・・・線光源の軸線、Ｏ２・・・回動軸線（軸線）、Ｗ・・・原稿
【図１】
2006350070.tif 000003
【図２】
2006350070.tif 000004
【図３】
2006350070.tif 000005
【図４】
2006350070.tif 000006
【図５】
2006350070.tif 000007
【図６】
2006350070.tif 000008
【図７】
2006350070.tif 000009
【図８】
2006350070.tif 000010
【図９】
2006350070.tif 000011
【図１０】
2006350070.tif 000012
【図１１】
2006350070.tif 000013